(57)【要約】【課題】組立性が良好で嵩張りにくい収容ケースを提供する。【解決手段】両端板部３５を両端板折り線部３４により底板部から立ち上がり形成する。両端板上部３７を両上端折り線部３６により底板部に対向させる。両収容端板部４２を両収容端板折り線部４１により底板部側に折り曲げ形成する。両端板固定部４５を底板部に固定する。両側板部５２を両側板折り線部５１により底板部から立ち上がり形成する。側板被固定部を側板固定折り線部５３により端板上部３７の上方から底板部に対向させる。側板上部６２を上側折り線部６１により端板上部３７の上方から底板部に対向させて側板被固定部に固定する。両収容側板部６５を両収容側板折り線部６６により下方に折り曲げて両収容端板部４２とともに収容部７５を形成する。収容部７５を容易に形成でき、組立性が良好になる。被収容物を未収容時にはシート状にできるため、嵩張ることがない。【選択図】　　　　図１
2004090947.tif 000002
【特許請求の範囲】
【請求項１】
板紙材で矩形状に形成された底板部と、
この底板部の互いに対向する一方の一対の側部に端板折り線部を介して連接して設けられ、これら端板折り線部により前記底板部から立ち上がり形成される端板部と、
これら端板部の先端側に上端折り線部を介して連接して設けられ、これら上端折り線部により前記底板部に対向する端板上部と、
これら端板上部の先端側に収容端板折り線部を介して連接して設けられ、これら収容端板折り線部により前記底板部側へと折り曲げ形成される収容端板部と、これら収容端板部の先端側に端板固定折り線部を介して連接して設けられ、前記底板部に固定される端板固定部と、
前記底板部の互いに対向する他方の一対の側部に側板折り線部を介して連接して設けられ、これら側板折り線部により前記底板部から立ち上がり形成される側板部と、
いずれか一方の前記側板部の先端側に側板固定折り線部を介して連接して設けられ、この側板固定折り線部により前記端板上部の上方から前記底板部に対向する側板被固定部と、
いずれか他方の前記側板部の先端側に上側折り線部を介して連接して設けられ、この上側折り線部により前記端板上部の上方から前記底板部に対向し、前記側板被固定部に固定される側板上部と、
この側板上部に互いに対向して切り込み形成され、前記収容端板部と交差する方向に設けられた一対の収容側板折り線部を介して前記側板上部に連接し、これら収容側板折り線部により下方に折り曲げられて前記収容端板部とともに収容部を形成する収容側板部と
を具備したことを特徴とした収容ケース。
【請求項２】
収容端板部は、貫通孔を備え、
収容側板部は、下方への折り曲げの際に前記収容端板部の貫通孔に差し込み係合されて前記収容側板部を前記収容端板部に固定する突出部を備えた
ことを特徴とした請求項１記載の収容ケース。
【請求項３】
端板固定部および側板上部は、貼着固定された
ことを特徴とした請求項１または２記載の収容ケース。
【発明の詳細な説明】
【０００１】
【発明の属する技術分野】
本発明は、板紙材で形成された底板部を備えた収容ケースに関する。
【０００２】
【従来の技術】
従来、この種の収容ケースとしては、例えば図４に示す構成が知られている。
【０００３】
この図４に示す収容ケースは、例えば段ボールなどの板紙材で矩形状に形成された底板部１を備えており、この底板部１の両端部には、矩形状の端板部２が折り線部３を介して連接してそれぞれ設けられている。これら端板部２は、折り線部３により底板部１から立ち上がり形成される。
【０００４】
また、端板部２の先端側には、底板部１に対向する端板上部４が折り線部５を介して連接してそれぞれ設けられている。これら端板上部４には、長孔６が貫通して設けられている。
【０００５】
さらに、端板上部４の先端側には、底板部１側に折り曲げ形成される収容端板部７が折り線部８を介して連接してそれぞれ設けられている。
【０００６】
そして、収容端板部７の先端側には、底板部１上に貼着固定される貼着固定部１１が折り線部１２を介して連接してそれぞれ設けられている。
【０００７】
一方、底板部１の両側部には、略矩形状の側板部１３が折り線部１４を介して連接してそれぞれ設けられており、これら側板部１３の先端側には、側板上部１５が折り線部１６を介して連接してそれぞれ設けられている。
【０００８】
また、側板上部１５の先端側の一部には、収容側板部１７が折り線部１８を介して連接してそれぞれ設けられている。
【０００９】
また、これら収容側板部１７の先端側には、底板部１側に折り曲げ形成される折込片部２１が折り線部２２を介して連接してそれぞれ設けられている。
【００１０】
さらに、側板上部１５の先端側における収容側板部１７の両側部には、長孔６に差し込み係合される挿入部２３が折り線部２４を介して連接してそれぞれ設けられている。
【００１１】
そして、上記図４に示す収容ケースは、折り線部３，５，８，１２により端板部２、端板上部４、収容端板部７および貼着固定部１１をそれぞれ折り曲げ形成し、この貼着固定部１１を底板部１に貼着固定した後、側板部１３および側板上部１５を折り線部１４，１６により折り曲げ形成し、折込片部２１を折り線部２２から側板上部１５の下側へと折り込みつつ、一対の挿入部２３を長孔６に位置合わせして差し込み係合し、側板上部１５を端板部２に固定して収容部２５を立体形成する。
【００１２】
【発明が解決しようとする課題】
しかしながら、上述の収容ケースでは、組み立ての際に一対の挿入部２３を長孔６に位置合わせして差し込み係合しなければならず、また、折込片部２１を折り線部２２から側板上部１５の下側へと折り込むなど組立作業が煩雑で、組立性が良好でないという問題点を有している。
【００１３】
また、端板部２の厚みにより、被収容物の未収容時でも側板上部１５などを端板部２側に折り畳むことができず、嵩張りやすいという問題点も有している。
【００１４】
本発明はこのような点に鑑みなされたもので、組立性が良好で嵩張りにくい収容ケースを提供することを目的とする。
【００１５】
【課題を解決するための手段】
請求項１記載の収容ケースは、板紙材で矩形状に形成された底板部と、この底板部の互いに対向する一方の一対の側部に端板折り線部を介して連接して設けられ、これら端板折り線部により前記底板部から立ち上がり形成される端板部と、これら端板部の先端側に上端折り線部を介して連接して設けられ、これら上端折り線部により前記底板部に対向する端板上部と、これら端板上部の先端側に収容端板折り線部を介して連接して設けられ、これら収容端板折り線部により前記底板部側へと折り曲げ形成される収容端板部と、これら収容端板部の先端側に端板固定折り線部を介して連接して設けられ、前記底板部に固定される端板固定部と、前記底板部の互いに対向する他方の一対の側部に側板折り線部を介して連接して設けられ、これら側板折り線部により前記底板部から立ち上がり形成される側板部と、いずれか一方の前記側板部の先端側に側板固定折り線部を介して連接して設けられ、この側板固定折り線部により前記端板上部の上方から前記底板部に対向する側板被固定部と、いずれか他方の前記側板部の先端側に上側折り線部を介して連接して設けられ、この上側折り線部により前記端板上部の上方から前記底板部に対向し、前記側板被固定部に固定される側板上部と、この側板上部に互いに対向して切り込み形成され、前記収容端板部と交差する方向に設けられた一対の収容側板折り線部を介して前記側板上部に連接し、これら収容側板折り線部により下方に折り曲げられて前記収容端板部とともに収容部を形成する収容側板部とを具備したものである。
【００１６】
そして、板紙材で矩形状に形成した底板部の互いに対向する一方の一対の側部に設けた端板部を端板折り線部により底板部から立ち上がり形成し、これら端板部の先端側に設けた端板上部を上端折り線部により底板部に対向させ、これら端板上部の先端側に設けた収容端板部を収容端板折り線部により底板部側へと折り曲げ形成し、これら収容端板部の先端側に設けた端板固定部を底板部に固定するとともに、底板部の互いに対向する他方の一対の側部に設けた側板部を側板折り線部により底板部から立ち上がり形成し、いずれか一方の側板部の先端側に設けた側板被固定部を側板固定折り線部により端板上部の上方から底板部に対向させ、いずれか他方の側板部の先端側に設けた側板上部を上側折り線部により端板上部の上方から底板部に対向させて側板被固定部に固定し、この側板上部に互いに対向して切り込み形成した収容側板部を、収容端板部に交差する方向に設けた一対の収容側板折り線部により下方に折り曲げて収容端板部とともに収容部を形成することにより、収容部を折り曲げおよび固定のみで容易に形成でき、組立性が良好になるとともに、被収容物を未収容時には、各折り線部によりシート状にできるため、嵩張ることがない。
【００１７】
請求項２記載の収容ケースは、請求項１記載の収容ケースにおいて、収容端板部は、貫通孔を備え、収容側板部は、下方への折り曲げの際に前記収容端板部の貫通孔に差し込み係合されて前記収容側板部を前記収容端板部に固定する突出部を備えたものである。
【００１８】
そして、収容側板部に設けた突出部を収容端板部に設けた貫通孔に差し込み係合して収容側板部を収容端板部に固定することにより、例えば貼着テープなどを別途用いることなく収容側板部を容易に固定できる。
【００１９】
請求項３記載の収容ケースは、請求項１または２記載の収容ケースにおいて、端板固定部および側板上部は、貼着固定されたものである。
【００２０】
そして、端板固定部および側板上部を貼着固定することにより、端板固定部および側板上部を容易に固定できるため、組立性がより向上する。
【００２１】
【発明の実施の形態】
以下、本発明の収容ケースの一実施の形態の構成を図１ないし図３を参照して説明する。
【００２２】
図１において、３１は例えば立体模型などの被収容物を収容する収容ケースであり、この収容ケース３１は、板紙材３２で形成されている。また、図２に示すように、この収容ケース３１は、平面視でこの図２における左右方向に対称な形状となっている。さらに、この収容ケース３１は、矩形状の底板部３３を備えている。そして、この底板部３３の互いに対向する一方の一対の側部である両端部には、端版折り線部３４を介して細長矩形状の端板部３５が連接して設けられている。
【００２３】
これら両端板部３５は、それぞれ底板部３３の幅方向に長手方向を有しており、底板部３３の幅寸法と等しい長手寸法に形成されている。そして、これら両端板部３５は、両端板折り線部３４により底板部３３の上側に折り曲げられて底板部３３からそれぞれ立ち上がり形成される。
【００２４】
また、両端板部３５における両端板折り線部３４と反対側の側部、すなわち両端板部３５の先端側である上端部には、上端折り線部３６を介して略矩形状の端板上部３７が連接してそれぞれ設けられている。
【００２５】
これら両端板上部３７は、端板部３５の長手方向に長手方向を有しており、端板部３５と等しい長手寸法、かつ端板部３５よりも大きい幅寸法にそれぞれ形成されている。
【００２６】
さらに、両端板上部３７は、両上端折り線部３６により収容ケース３１の内方へと折り曲げられて、底板部３３にそれぞれ対向する。
【００２７】
そして、両端板上部３７の両端部における両端板部３５と反対側寄りは、矩形状の一対の切欠端部３８が切り欠き形成されている。これら切欠端部３８により、両端板上部３７の幅方向における両端板部３５と反対側、すなわち両端板上部３７の先端側は長手寸法が基端側よりも小さく形成されており、平面視で略凸字状に形成されている。
【００２８】
ここで、切欠端部３８は、上端折り線部３６から端板部３５の幅寸法分程度離間された位置から端板上部３７の先端側に亘って形成されている。このため、両端板上部３７を上端折り線部３６から折り曲げた際に、切欠端部３８の一端部が端板折り線部３４近傍に位置する。
【００２９】
そして、両端板上部３７の先端側には、収容端板折り線部４１を介して細長矩形状の収容端板部４２が連接してそれぞれ設けられている。
【００３０】
これら両収容端板部４２は、端板上部３７の長手方向に長手方向を有しており、端板上部３７の先端側と等しい長手寸法、かつ端板部３５よりも若干小さい幅寸法に形成されている。
【００３１】
また、両収容端板部４２は、両収容端板折り線部４１により底板部３３側へこの底板部３３に対して略垂直に折り曲げ形成される。
【００３２】
さらに、両収容端板部４２の幅方向における端板上部３７と反対側の側部、すなわち両収容端板部４２の先端側である下端部には、これら両収容端板部４２の幅方向に略細長矩形状の一対の貫通孔４３が貫通してそれぞれ設けられている。これら貫通孔４３は、収容端板部４２の長手方向に所定の距離、例えば収容端板部４２の幅寸法の約４倍の距離程度互いに離間されており、互いに他方の貫通孔４３側である収容端板部４２の長手方向の中心側の側部が凸弧状に彎曲して形成されている。すなわち、これら貫通孔４３は、収容ケース３１の幅方向の中心側に彎曲部が突出した略Ｄ字状に形成されている。
【００３３】
そして、両収容端板部４２の下端部には、一対の貫通孔４３の一端部に隣接したミシン目状の端板固定折り線部４４を介して、略矩形状の端板固定部４５が連接してそれぞれ設けられている。
【００３４】
これら両端板固定部４５は、収容端板部４２の長手方向に長手方向を有しており、収容端板部４２の長手寸法と等しい長手寸法、かつ端板部３５よりも大きく端板上部３７よりも小さい幅寸法に形成されている。また、これら両端板固定部４５の両端部は、両収容端板部４２と反対側、すなわち両端板固定部４５の先端側に向かって両端板固定部４５の長手方向の中心側に傾斜している。したがって、これら両端板固定部４５は、先端側に向かって長手寸法が小さくなるように形成されている。
【００３５】
さらに、両端板固定部４５の上面には、貼着テープとしての両面テープ４６が貼付されている。これら両面テープ４６は、両端板固定部４５の長手方向に互いに離間されて貼付されている。そして、両端板固定部４５は、両端板固定折り線部４４により底板部３３に沿って折り曲げられ、両面テープ４６により底板部３３の上部に貼着固定される。
【００３６】
ここで、端板上部３７、収容端板部４２および端板固定部４５の幅寸法の総和は、底板部３３の長手寸法の半分および端板部３５の幅寸法の和よりも若干小さく形成されている。したがって、端板固定部４５は、図３に示すように、底板部３３の長手方向の中心域に若干の間隙４７を介して隣接し、それぞれ貼着固定される。
【００３７】
一方、底板部３３の互いに対向する他方の一対の側部である両側部には、図２に示すように、側板折り線部５１を介して細長矩形状の側板部５２が連接してそれぞれ設けられている。これら両側板部５２は、それぞれ底板部３３の長手方向に長手方向を有しており、底板部３３の長手寸法と等しい長手寸法、かつ端板部３５よりも若干大きい幅寸法に形成されている。
【００３８】
さらに、これら両側板部５２は、両側板折り線部５１により両端板部３５と同側に折り曲げられて底板部３３からそれぞれ立ち上がり形成される。
【００３９】
そして、一方の側板部５２における側板折り線部５１と反対側の側部、すなわちこの側板部５２の先端側である上端部には、側板固定折り線部５３を介して略矩形状の側板被固定部５４が連接して設けられている。
【００４０】
この側板被固定部５４は、側板部５２の長手方向に長手方向を有しており、側板部５２と等しい長手寸法および幅寸法にそれぞれ形成されている。
【００４１】
また、側板被固定部５４は、図３に示すように、側板固定折り線部５３により収容ケース３１の内方へと折り曲げられて、両端板上部３７の上方から底板部３３にそれぞれ対向する。
【００４２】
さらに、側板被固定部５４の両端部は、隣接する側板部５２と反対側、すなわち側板被固定部５４の先端側に向かって側板被固定部５４の長手方向の中心側に傾斜している。したがって、この側板被固定部５４は、先端側に向かって長手寸法が小さくなるように形成されている。
【００４３】
そして、図２に示すように、側板被固定部５４には、貼着テープとしての両面テープ５５が側板被固定部５４の長手方向の略全域に亘って貼付されている。
【００４４】
また、他方の側板部５２における側板折り線部５１と反対側の側部、すなわちこの側板部５２の先端側である上端部には、上側折り線部６１を介して矩形状の側板上部６２が連接して設けられている。
【００４５】
さらに、側板上部６２は、上側折り線部６１により収容ケース３１の内方へと折り曲げられ、両端板上部３７の上方から底板部３３に対向する。
【００４６】
ここで、側板上部６２は、側板部５２の長手方向に長手方向を有しており、底板部３３と等しい長手寸法および幅寸法に形成されている。このため、上側折り線部６１から折り曲げられて底板部３３に対向する際に、この底板部３３の上方全体を覆い、先端側が側板被固定部５４の上部に両面テープ５５により貼着固定される。
【００４７】
そして、側板上部６２の略中心域には、側板上部６２の幅方向に略直線状に切り込み形成された一対の切込線部６３およびこれら切込線部６３の間に亘って側板上部６２の長手方向に直線状に切り込み形成された切込線部６４により、略矩形状の収容側板部６５が互いに対向した状態で切り込み形成されている。これら両収容側板部６５は、側板上部６２の長手方向に長手方向を有しており、端板固定部４５の幅寸法の約２倍の長手寸法、かつ貫通孔４３間の距離寸法の約半分と略等しい幅寸法にそれぞれ形成されている。
【００４８】
また、これら両収容側板部６５は、両収容端板部４２と交差する方向、すなわち側板上部６２の長手方向に設けられた収容側板折り線部６６により、側板上部６２に連接してそれぞれ設けられている。
【００４９】
さらに、両収容側板部６５の幅方向の略中心域には、両収容側板部６５の長手方向、すなわち収容側板折り線部６６に平行にミシン目状の折り線部７１が設けられている。このため、両収容側板部６５は、収容側板折り線部６６と折り線部７１との間の領域がそれぞれ収容側板側部７２となっており、折り線部７１と切込線部６４との間の領域がそれぞれ収容側板底部７３となっている。
【００５０】
ここで、両収容側板側部７２は、収容側板部６５の長手方向に長手方向を有しており、収容側板部６５の長手寸法と等しい長手寸法、かつ収容端板部４２よりも若干小さい幅寸法に形成されている。
【００５１】
また、両収容側板側部７２の両端部には、貫通孔４３に差し込み係合される略矩形状の一対の突出部７４が切込線部６３により両収容側板側部７２の両端方向に突出してそれぞれ切り込み形成されている。これら各突出部７４は、収容側板側部７２の幅方向に長手方向を有しており、両収容側板側部７２の幅方向における折り線部７１側からこれら両収容側板側部７２の幅方向の略中心域に亘って設けられている。
【００５２】
さらに、これら各突出部７４における収容側板折り線部６６側の端部は、突出基端側が先端側よりも収容側板折り線部６６側に位置している。すなわち、各突出部７４は、収容側板折り線部６６側の端部がこれら収容側板折り線部６６側へと傾斜してそれぞれ設けられている。このため、これら各突出部７４は、貫通孔４３に容易に差し込みできるようになっている。
【００５３】
そして、両収容側板部６５は、図１に示すように、両収容側板折り線部６６から底板部３３側である下方に折り曲げられるとともに、両収容側板側部７２の各突出部７４が各貫通孔４３に差し込み係合されて両収容側板部６５が両収容端板部４２に固定され、かつ両収容側板底部７３が折り線部７１により底板部３３の幅方向の中心側に折り曲げられて両端板固定部４５の上部に位置する。この結果、両収容側板部６５および両収容端板部４２により、底板部３３の略中心域の上方に矩形状の収容部７５が形成される。したがって、両切込線部６３および両収容側板折り線部６６は、収容部７５の上部開口となっている。この収容部７５には、図示しない立体模型などの被収容物が収容される。
【００５４】
次に、上記一実施の形態の作用効果を説明する。
【００５５】
収容ケース３１を組み立てる際には、まず両端板折り線部３４から両端板部３５を折り曲げて底板部３３からそれぞれ立ち上がり形成する。
【００５６】
次いで、両上端折り線部３６から端板上部３７を収容ケース３１の内方へと折り曲げてそれぞれ底板部３３と対向させる。
【００５７】
さらに、両収容端板折り線部４１から両収容端板部４２を底板部３３側にこの底板部３３に対して略垂直になるようにそれぞれ折り曲げる。
【００５８】
そして、両端板固定折り線部４４により両端板固定部４５を底板部３３に沿ってそれぞれ折り曲げ、両面テープ４６により両端板固定部４５を底板部３３の上部にそれぞれ貼着固定する。
【００５９】
また、両側板折り線部５１から両側板部５２を折り曲げて、底板部３３からそれぞれ立ち上がり形成する。
【００６０】
さらに、側板固定折り線部５３から側板被固定部５４を収容ケース３１の内方へと折り曲げて両端板上部３７の上方から底板部３３に対向させる。
【００６１】
次いで、上側折り線部６１から側板上部６２を収容ケース３１の内方へと折り曲げて両端板上部３７の上方から底板部３３に対向させ、この側板上部６２の先端側を両面テープ５５により側板被固定部５４の上部に貼着固定する。
【００６２】
そして、収容ケース３１にて被収容物を収容する際には、両収容側板折り線部６６から両収容側板部６５を底板部３３側である下方へと折り曲げ、両収容側板側部７２の各突出部７４を収容端板部４２の各貫通孔４３に差し込み係合させて両収容側板部６５を両収容端板部４２に固定しつつ、両折り線部７１から両収容側板底部７３を底板部３３に沿って端板固定部４５の上部に折り曲げて、両収容端板部４２および両収容側板部６５により収容部７５を形成し、この収容部７５に被収容物を収容する。
【００６３】
この結果、収容部７５を板紙材３２の折り曲げおよび固定のみで容易に形成でき、組立性を良好にできる。
【００６４】
一方、被収容物を未収容時には、両端板折り線部３４、両収容端板折り線部４１、両端板固定折り線部４４、両側板折り線部５１、側板固定折り線部５３および上側折り線部６１により収容ケース３１をシート状にできるので、嵩張りにくくでき、保管などの際に省スペース化できる。
【００６５】
さらに、両収容側板部６５の各突出部７４を両収容端板部４２の各貫通孔４３に差し込み係合して両収容側板部６５を両収容端板部４２に固定することにより、例えば貼着テープなどを別途用いることなく両収容側板部６５を容易に固定できる。
【００６６】
そして、両端板固定部４５および側板上部６２をそれぞれ両面テープ４６，５５により貼着固定することにより、これら両端板固定部４５および側板上部６２を容易に固定できるため、組立性をより向上できる。
【００６７】
また、両収容側板部６５を側板上部６２に切込線部６３，６４にて切り込み形成したことにより、切り屑が生じず、板紙材３２を有効に利用できる。
【００６８】
さらに、貫通孔４３の収容端板部４２の長手方向の中心側の側部を凸弧状に彎曲して形成し、かつ突出部７４の収容側板折り線部６６側の端部をこれら収容側板折り線部６６側へと傾斜させたことにより、各突出部７４を貫通孔４３に差し込み係合しやすい。
【００６９】
そして、端板上部３７の両端部に切欠端部３８を設けたことにより、収容ケース３１をシート状にした際に、これら切欠端部３８に側板部５２の端部が嵌合するため、両端板上部３７と両側板部５２とが干渉せず、収容ケース３１をより嵩張ることなくシート状にできる。
【００７０】
なお、上記一実施の形態において、両収容側板部６５の両収容側板底部７３に例えば両面テープなどを貼付し、これら両収容側板底部７３を両端板固定部４５の上部に貼着して両収容側板部６５を固定してもよい。
【００７１】
また、両端板固定部４５および側板上部６２の固定方法は、貼着固定に限定されるものではない。
【００７２】
【発明の効果】
請求項１記載の収容ケースによれば、板紙材で矩形状に形成した底板部の互いに対向する一方の一対の側部に設けた端板部を端板折り線部により底板部から立ち上がり形成し、これら端板部の先端側に設けた端板上部を上端折り線部により底板部に対向させ、これら端板上部の先端側に設けた収容端板部を収容端板折り線部により底板部側へと折り曲げ形成し、これら収容端板部の先端側に設けた端板固定部を底板部に固定するとともに、底板部の互いに対向する他方の一対の側部に設けた側板部を側板折り線部により底板部から立ち上がり形成し、いずれか一方の側板部の先端側に設けた側板被固定部を側板固定折り線部により端板上部の上方から底板部に対向させ、いずれか他方の側板部の先端側に設けた側板上部を上側折り線部により端板上部の上方から底板部に対向させて側板被固定部に固定し、この側板上部に互いに対向して切り込み形成した収容側板部を、収容端板部に交差する方向に設けた一対の収容側板折り線部により下方に折り曲げて収容端板部とともに収容部を形成することにより、収容部を折り曲げおよび固定のみで容易に形成でき、組立性が良好になるとともに、被収容物を未収容時には、各折り線部によりシート状にできるため、嵩張ることがない。
【００７３】
請求項２記載の収容ケースによれば、収容側板部に設けた突出部を収容端板部に設けた貫通孔に差し込み係合して収容側板部を収容端板部に固定することにより、例えば貼着テープなどを別途用いることなく収容側板部を容易に固定できる。
【００７４】
請求項３記載の収容ケースによれば、端板固定部および側板上部を貼着固定することにより、端板固定部および側板上部を容易に固定できるため、組立性をより向上できる。
【図面の簡単な説明】
【図１】本発明の収容ケースの一実施の形態を示す斜視図である。
【図２】同上収容ケースを示す展開図である。
【図３】同上収容ケースを示す斜視図である。
【図４】従来例の収容ケースを示す斜視図である。
【符号の説明】
３１　　収容ケース
３２　　板紙材
３３　　底板部
３４　　端板折り線部
３５　　端板部
３６　　上端折り線部
３７　　端板上部
４１　　収容端板折り線部
４２　　収容端板部
４３　　貫通孔
４４　　端板固定折り線部
４５　　端板固定部
５１　　側板折り線部
５２　　側板部
５３　　側板固定折り線部
５４　　側板被固定部
６１　　上側折り線部
６２　　側板上部
６５　　収容側板部
６６　　収容側板折り線部
７４　　突出部
７５　　収容部
【図１】
2004090947.tif 000003
【図２】
2004090947.tif 000004
【図３】
2004090947.tif 000005
【図４】
2004090947.tif 000006